(57)【要約】【課題】新しい内容物を容器本体内へ詰め替えるときに、容器本体に取り付けやすく、内容物で容器本体内を汚すことがなく、内容物の保護性が良好で、吊り下げ可能な詰替え用スタンディングパウチを提供する。【解決手段】水蒸気バリア性や酸素バリア性の層を構成層中に有する積層フィルムからなる外袋と、柔軟で伸び易いプラスチックフィルムからなる内袋とからなる角状のスタンディングパウチであり、外袋の開封予定位置の左右両側の側部シール部に対応させて外向きの開封用ノッチを設け、開封用ノッチ位置より下方に内容物を収納する内袋を収容し、パウチを容器本体に取り付けるときは、開封したスタンディングパウチを容器本体内に挿着したのち、外袋内に収容されている内袋の上方部を開口する外袋から引っ張り出して、その内袋の上方部を容器本体の周壁上端に引っ掛けて、スタンディングパウチを容器本体に係着する。【選択図】図１
2006117287.tif 000002
【特許請求の範囲】
【請求項１】
水蒸気バリア性や酸素バリア性の層を構成層中に有する積層フィルムからなる外袋と、柔軟で伸び易いプラスチックフィルムからなる内袋とからなる角状のスタンディングパウチであって、外袋の開封予定位置の左右両側の側部シール部に対応させて外向きの開封用ノッチを設け、この開封用ノッチ位置より下方に内容物を収納する内袋を収容し、スタンディングパウチを容器本体に取り付けるときは、開封したスタンディングパウチを容器本体内に挿着したのち、外袋内に収容されている内袋の上方部を開口する外袋から引っ張り出して、その内袋の上方部を容器本体の周壁上端に引っ掛けて、スタンディングパウチを容器本体に係着したことを特徴とする詰替え用スタンディングパウチ。
【請求項２】
外袋の上部シール部の上下方向の幅を広くして、左右方向の中央位置に、吊り下げ用の切込み線又は穴を設けたことを特徴とする請求項１記載の詰替え用スタンディングパウチ。
【発明の詳細な説明】
【技術分野】
【０００１】
本発明は、内容物が無くなった容器本体に、新しい内容物を詰め替えするために使用する詰替え用スタンディングパウチに関するものである。
【背景技術】
【０００２】
従来、容器本体内へ新しい内容物を詰め替えるときには、詰替え用の内容物を収納する詰替え用パウチが使用されていた。この詰替え用パウチは、プラスチックフィルムからなる袋であり、内容物を容器本体へ詰め替えやすいように色々な工夫がなされていた。例えば、パウチの上端片隅にノズルを形成し、このノズルに閉塞防止機構を設けて、高粘度の内容物の注出を最後まで確実に安定して行えるもの（特許文献１参照）、ノズルにガイドシール部を形成して、液体内容物の注出が停滞しないように改善したもの（特許文献２参照）、また、パウチの上部に吊り下げ用の穴を設けて、持ち運びや内容物の移し替えなどの使用適性を改善したもの（特許文献３参照）などが知られていた。また、非通気性及び防湿性を有する合成樹脂性フィルムからなる外袋に、通気性及び透湿性を有する合成樹脂性を有する合成樹脂製不織布からなる筒状内袋を挿入して熱融着により３方袋を形成して、内容物の変質や品質劣化を防止した包装用２重袋（特許文献４参照）なども知られていた。
【特許文献１】特開２００３−１３７３１９号公報
【特許文献２】特開２００３−１６０１５０号公報
【特許文献３】特開２００２−１９７９０号公報
【特許文献４】特開２００２−２３４５４７公報
【発明の開示】
【発明が解決しようとする課題】
【０００３】
しかしながら、粉体の内容物の場合のように、開口した詰替え用スタンディングパウチを、そのまま容器本体へ挿着して使用するものについては、使用勝手を工夫したものは、極めた少なかった。
【０００４】
例えば、上方を開口した詰替え用スタンディングパウチを、円筒容器や角型容器などに入れて、スタンディングパウチに収納された内容物を出し入れするときに、図３に示すように、スタンディングパウチ（１００）の開口部の上端縁部を外側へ折り曲げて、容器本体（２００）の周壁（２１０）の上端に引っ掛けて置かないと、スタンディングパウチと容器本体の周壁との隙間から内容物が容器本体内に落ちてしまうことがあった。また、内容物が粉体や液体の場合、スプーンなどの治具を使っても、出し入れが難しいこともあった。しかも既存のスタンディングパウチは、例えば、延伸ポリエチレンテレフタレートフィルム／接着剤／アルミニウム箔／接着剤／ナイロンフィルム／接着剤／直鎖状低密度ポリエチレンフィルム（シーラント）構成の積層フィルムからなり、剛性が高いために折り曲げにくいことがあった。また、一方では、折り曲げやすいポリエチレンやポリプロピレンなどの無延伸フィルムからなるスタンディングパウチは、容器本体の周壁の上端周縁部に引っ掛けてやすいが、流通過程や保管時における内容物の保護性が悪いことなどがあった。
【０００５】
本発明は、上述の従来の詰替え用パウチの問題点を解決したものであり、新しい内容物
を容器本体内へ詰め替えるときに、容器本体に取り付けやすく、内容物で容器本体内を汚すことがなく、内容物の保護性が良好で、また、吊り下げ可能な詰替え用スタンディングパウチを提供するものである。
【課題を解決するための手段】
【０００６】
すなわち、本発明の第１の発明は、水蒸気バリア性や酸素バリア性の層を構成層中に有する積層フィルムからなる外袋と、柔軟で伸び易いプラスチックフィルムからなる内袋とからなる角状のスタンディングパウチであって、外袋の開封予定位置の左右両側の側部シール部に対応させて外向きの開封用ノッチを設け、この開封用ノッチ位置より下方に内容物を収納する内袋を収容し、スタンディングパウチを容器本体に取り付けるときは、開封したスタンディングパウチを容器本体内に挿着したのち、外袋内に収容されている内袋の上方部を開口する外袋から引っ張り出して、その内袋の上方部を容器本体の周壁上端に引っ掛けて、スタンディングパウチを容器本体に係着したことを特徴とする詰替え用スタンディングパウチである。
【０００７】
そして、本発明の第２の発明は、外袋の上部シール部の上下方向の幅を広くして、左右方向の中央位置に、吊り下げ用の切込み線又は穴を設けたことを特徴とする第１の発明に記載の詰替え用スタンディングパウチである。
【発明の効果】
【０００８】
本発明の詰替え用スタンディングパウチは、スタンディングパウチを容器本体に取り付けるときは、外袋のノッチ位置で開封したスタンディングパウチを、容器本体内に挿着したのち、外袋内に収容されている柔軟で伸び易いプラスチックフィルムからなる内袋の上方部を、開口する外袋から引っ張り出して、外袋の開封先端を覆う形で、その内袋の上方部を容器本体の周壁上端に引っ掛けて、スタンディングパウチを容器本体に係着するものである。このため、外袋の材質には関係することがなく、新しい内容物を容器本体内へ詰め替えるときに、容器本体に詰替え用スタンディングパウチを取り付けやすい。
【０００９】
また、本発明の詰替え用スタンディングパウチは、内容物をスプーンなどの治具で取り出しているときに、スプーンから内容物がこぼれても、スタンディングパウチと容器本体の周壁との間は、容器本体に係着する内袋で覆われているため、スタンディングパウチと容器本体の周壁との隙間に粉体内容物が入って、容器本体内を内容物で汚すようなことがない。
【００１０】
また、本発明の詰替え用スタンディングパウチは、外袋が水蒸気バリア性や酸素バリア性の層を構成層中に有する積層フィルムで作製されているため、流通過程や保管時における内容物の保護性が良好である。
【００１１】
また、本発明の詰替え用スタンディングパウチは、密封する外袋の上部シール部の上下方向の幅を広くして、その左右方向の中央位置に、吊り下げ用の切込み線又は穴が設けることができる。吊り下げ用の切込み線又は穴を上部シール部に設けた詰替え用スタンディングパウチは、吊り下げて持ち運ぶことができる。
【発明を実施するための最良の形態】
【００１２】
次に、本発明の詰替え用スタンディングパウチの一実施形態について、図を用いて詳細に説明する。
【００１３】
図１は、本実施形態の詰替え用スタンディングパウチの正面図であり、図２（ａ）は、本実施形態の詰替え用スタンディングパウチを、開封用ノッチ位置で開封して、そのスタンディングパウチを容器本体内に挿着したときの状態を示す斜視図であり、図２（ｂ）は
、容器本体内に挿着したスタンディングパウチの外袋から内袋の上方部を引っ張り出したときの状態を示す斜視図であり、図２（ｃ）は、その引っ張り出した内袋の上方を容器本体の周壁の上端に引っ掛けて、スタンディングパウチを容器本体内に係着したときの状態を示す斜視図である。
【００１４】
本実施形態の詰替え用スタンディングパウチ（１００）は、図１に示すように、外袋（１１０）とその外袋内に挿着される内袋（１２０）とからなる２重構造のパウチである。外袋は、表側フィルムと裏側フィルムとを重ね合わせ、左右の側端縁部を熱融着して側部シール部（１１２）を形成し、底部に底部フィルムを折り込んで、その外周縁部を熱融着して底部シール部（１１１）を形成して、自立可能にした角状のパウチである。フィルムとしては、パウチの使用目的に応じて、水蒸気バリア性や酸素バリア性の層を構成層中に有する積層フィルム、例えば、（外側）ポリエチレンテレフタレートフィルム／接着剤／アルミニウム箔又は酸化ケイ素などの蒸着フィルム／接着剤／ナイロンフィルム／接着剤／直鎖状低密度ポリエチレンフィルム（シーラント）（内側）構成などが使用される。そして、外袋の開封予定位置の左右両側の側部シール部に対応させて外向きの開封用ノッチを設けるものである。
【００１５】
内袋は、フィルムとしては、柔軟で伸び易いプラスチックフィルム、例えば、ポリエチレンやポリプロピレンの無延伸フィルムなどが使用される。図１に示すように、外袋（１１０）の左右両側の側部シール部（１１２）に対応して設けられた開封用ノッチ（１１５）位置より下方に、内容物を収納し上方部を折り畳んだ内袋（１２０）を収容するものである。そして、内容物を収納する内袋を収容した外袋（１１０）は、上端縁部を熱融着して上部シール部（１１３）を形成して、パウチを密封するものである。なお、内袋の底部は、外袋の底部の内側に一緒に熱融着によりシールしてもよい。
【００１６】
また、図１に示すように、外袋（１１０）の上部シール部（１１３）の上下方向の幅を広くして、左右方向の中央位置に、吊り下げ用の切込み線（１１４）又は穴を設けてもよい。吊り下げ用の切込み線又は穴を設けると、特に容量の大きい詰替え用スタンディングパウチの場合には、吊り下げて持ち運ぶことが容易となる。
【００１７】
上述した本実施形態の詰替え用スタンディングパウチの容器本体への取り付け方法は、まず、スタンディングパウチの上方部を、外袋の左右両側の側部シール部に対応して設けられた図１に示す開封用ノッチ（１１５）により破断して開口し、次に、図２（ａ）に示すように、開口したスタンディングパウチ（１００）を容器本体（２００）内に挿着して、図２（ｂ）に示すように、外袋（１１０）内に収容されている内袋（１２０）の上方部を、開口する外袋から引っ張り出して、図３（ｃ）に示すように、その内袋（１２０）の上方部を、外袋の開封先端を覆うようにして、容器本体（２００）の周壁（２１０）上端に引っ掛けて、新しい内容物（３００）を収納するスタンディングパウチを容器本体に係着するものである。
【図面の簡単な説明】
【００１８】
【図１】本発明の一実施形態の詰替え用スタンディングパウチの正面図である。
【図２】（ａ）は、本発明の図１に示す詰替え用スタンディングパウチを開封用ノッチ位置で開封して、そのスタンディングパウチを容器本体内に挿着したときの状態を示す斜視図であり、（ｂ）は、容器本体内に挿着したスタンディングパウチの外袋から内袋の上方部を引っ張り出したときの状態を示す斜視図であり、（ｃ）は、その引っ張り出した内袋の上方を容器本体の周壁の上端に引っ掛けたときの状態を示す斜視図である。
【図３】従来の一例のスタンディングパウチを開口し、その開口部の上端縁部を外側へ折り曲げて、容器本体の周壁の上端に引っ掛けて、スタンディングパウチを容器本体内に係着したときの斜視図である。
【符号の説明】
【００１９】
１００……スタンディングパウチ
１１０……外袋
１１１……底部シール部
１１２……側部シール部
１１３……上部シール部
１１４……吊り下げ用切込み
１１５……開封用ノッチ
１２０……内袋
２００……容器本体
２１０……周壁
３００……内容物
【図１】
2006117287.tif 000003
【図２】
2006117287.tif 000004
【図３】
2006117287.tif 000005